(57)【特許請求の範囲】
【請求項１】
複数の測距領域を有し、該複数の測距領域で取得した複数の測距値に基づいてオートフォーカスデータを算出する測距装置であって、
前記複数の測距値のうち最も至近距離に対応する最至近測距値を検出するとともに、該最至近測距値との差が所定のしきい値よりも小さい測距値を選択する測距値選択手段と、
選択した前記測距値と前記最至近測距値との差の平均値である第一補正値を算出する第一演算手段と、
選択した前記測距値のうち最も遠距離に対応する最遠測距値を検出し、前記最遠測距値と前記最至近測距値との差の１／２である第二補正値を算出する第二演算手段と、
前記第一補正値よりも前記第二補正値が大きい場合は該第一補正値を採用補正値とし、前記第一補正値よりも前記第二補正値が小さい場合は該第二補正値を採用補正値として、該採用補正値により前記最至近測距値を補正して前記オートフォーカスデータを算出する第三演算手段と、を備えた測距装置。
【請求項２】
前記所定のしきい値は可変であることを特徴とする請求項１に記載の測距装置。
【請求項３】
請求項２に記載の測距装置を備えたカメラであって、
前記所定のしきい値を、錯乱円に基づいて変更することを特徴とするカメラ。
【発明の詳細な説明】
【０００１】
【発明の属する技術分野】
本発明は測距装置及びこれを備えたカメラに関する。
【０００２】
【従来の技術】
複数の測距値を得ることができ、得た複数の測距値に基づいてオートフォーカスデータを決定する測距装置（例えばパッシブＡＦ方式の測距装置など）において、複数得られた各測距値のうち最も至近距離のデータをそのままオートフォーカスデータとして採用したり、各測距値の平均値をオートフォーカスデータとしたりするのが一般的である。たとえば特開平５−１８８２７６号公報に開示のカメラの測距装置では、所定のしきい値と比較した最至近距離の大小によって最至近距離のデータを採用するか各測距値の平均値を採用するかを切替えている。
【０００３】
【発明が解決しようとする課題】
しかしながら、上記測距装置によれば、所定のしきい値距離と最至近距離の遠近により最至近と平均値との採用判断を行っているため、図１１のように例えば遠距離側の測距値２１０ｆ（背景等）が多く含まれ、至近距離の測距値２１０ｎ（人物等）が所定しきい値距離よりも遠い場合は平均距離２１０Ａ（人物等よりも遠距離側）を採用してしまい、真の距離（人物等）とのずれが大きくなってしまう等の問題があった。また、図１２のように近距離で人物の顔のアップを撮影する場合等は焦点が至近距離である鼻の位置２２０ｇに合ってしまい、鼻２２０ｎには焦点が合うが耳２２０ｆはボケるという状態になる等、人物の顔のアップや、近距離で位置にバラツキのある花等がうまく撮影できるようにオートフォーカスデータを算出することができなかった。
【０００４】
そこで、本発明は上記課題を解決し、複数の測距データに基づいて良好なピントが得られるようにオートフォーカスデータを算出することが可能な測距装置及びこれを備えたカメラを提供することを目的とする。
【０００５】
【課題を解決するための手段】
上記課題を解決するため、本発明の測距装置は、複数の測距領域を有し、複数の測距領域で取得した複数の測距値に基づいてオートフォーカスデータを算出する測距装置であって、複数の測距値のうち最も至近距離に対応する最至近測距値を検出するとともに、最至近測距値との差が所定のしきい値よりも小さい測距値を選択する測距値選択手段と、選択した測距値と最至近測距値との差の平均値である第一補正値を算出する第一演算手段と、選択した測距値のうち最も遠距離に対応する最遠測距値を検出し、最遠測距値と最至近測距値との差の１／２である第二補正値を算出する第二演算手段と、第一補正値よりも第二補正値が大きい場合は第一補正値を採用補正値とし、第一補正値よりも第二補正値が小さい場合は第二補正値を採用補正値として、採用補正値により最至近測距値を補正してオートフォーカスデータを算出する第三演算手段と、を備えている。
【０００６】
本発明の測距装置によれば、単に最至近測距値を採用したり、単に測距値の平均値を採用したり、また最至近距離の結果により最至近測距値と測距値の平均値とを切替えたりすることなく、以下のように処理を行うこととなる。すなわち、最至近距離から所定範囲遠側の測距値を選択し、最至近距離からの差が所定範囲内の複数の測距結果の変位が（１）最至近側に偏っているか、（２）最至近距離から所定範囲差のある側に偏っているか、に基づいて（１）選択された測距値の差の平均値、あるいは（２）選択された測距値中の最遠測距値と最至近測距値との差の１／２、を採用補正値とし、最至近測距値を採用補正値により遠側に補正してオートフォーカスデータを算出する。従って、オートフォーカスデータが最至近測距値を基本として過剰に補正されたり、補正する必要がある場合に最至近距離に設定されてしまったりすることがなく、適切にオートフォーカスデータを算出することが出来る。
【０００７】
なお、上記所定範囲は、測距値（距離の逆数１／Ｌとほぼ等価）で表すと最至近距離の結果に関わらずほぼ同値であるが、距離値（単位はｍ）で表せば、最至近距離が近いほど所定範囲の距離値は小さくなり最至近距離が遠いほど所定範囲の距離値は大きくなるという様に最至近距離の結果によって異なることとなる。測距値は距離の逆数とほぼ比例関係となっているためである。
【０００８】
また、本発明の測距装置では、所定のしきい値は可変であることを特徴とする。
【０００９】
また、本発明のカメラは、上記した測距装置を備えたカメラであって、所定のしきい値を、錯乱円に基づいて変更することを特徴とする。
【００１０】
本発明のカメラによれば、錯乱円に基づくしきい値よりも至近距離側の測距値のみをオートフォーカスデータの算出に用いることとなるため、オートフォーカスデータが最至近距離から錯乱円の許容範囲に比較して過剰に補正されることがなく、適切にオートフォーカスデータを定めることが出来る。よって、最至近距離から最遠距離までを常に錯乱円の許容範囲内に含むようなピントの設定が可能となり、最至近距離から最遠距離まで良好なピントが得られる。
【００１１】
【発明の実施の形態】
以下添付図面に従って、本発明に係る測距装置を例えばカメラに適用した場合の好ましい実施の形態について詳説する。
【００１２】
図１は、本発明が適用されたカメラの正面斜視図である。同図に示すようにカメラ１には、被写体像を銀塩フイルムに結像する撮影レンズを備えたズームレンズ鏡胴１３と、ストロボ光が発光されるストロボ発光窓１６と、撮影者が被写体を確認するファインダ窓１８と、被写体距離を測定するパッシブタイプのＡＦセンサが内蔵されているＡＦ窓２２と、被写体の明るさを測定する測光センサが内蔵されている測光窓２５と、撮影者がシャッタレリーズを指示する際に操作するシャッタボタン３４等が設けられている。
【００１３】
図２は、カメラ１の背面斜視図である。同図に示すようにカメラ１には、設定されている撮影モード等や日付情報等を表示するＬＣＤ表示パネル３８と、ストロボの発光モードを設定するフラッシュボタン４２と、セルフタイマーのモードを設定するセルフタイマーボタン４４と、フォーカスのモードを設定するフォーカスボタン４６と、日付や時刻を設定する日付ボタン４８と、撮影画角をワイド方向又はテレ方向に指示するズームボタン５０とが設けられている。
【００１４】
図３は、パッシブ方式によるＡＦセンサ７４の構成を示した図である。同図に示すようにＡＦセンサ７４には、例えば白と黒の２つの色から構成されている被写体９０の像を左右の各センサの受光面に結像するレンズ９２と、受光面に結像した像を光電変換して輝度信号として出力する右側のＲ（右）センサ９４及び左側のＬ（左）センサ９６と、ＣＰＵ６０と間で各種データの送受信を行うとともにＲセンサ９４及びＬセンサ９６の制御とデータ処理を行う処理回路９９とが設けられている。尚、Ｒセンサ９４、Ｌセンサ９６、及び、処理回路９９は、例えば、同一基板上に実装される。
【００１５】
Ｒセンサ９４及びＬセンサ９６は例えばＣＭＯＳラインセンサであり、直線上に配列された複数のセル（受光素子）から構成される。尚、Ｒセンサ９４とＬセンサ９６のそれぞれのセルには図中左側から順にセンサ番号１、２、３…２３３、２３４が付されるものとする。ただし、Ｒセンサ９４及びＬセンサ９６の左右両側の５つずつのセルは、ダミーのセルとして実際には使用されていないため、有効なセンサ領域は、センサ番号６から２２９までとなっている。これらのＲセンサ９４及びＬセンサ９６の各セルからは受光した光量に応じた輝度信号がセンサ番号と関連付けて処理回路９９に順次出力される。
【００１６】
そして、ＣＰＵ６０ではＲセンサ９４とＬセンサ９６のそれぞれのセンサ像の間で相関値演算を行い、相関が最も高くなるときのセンサ像のズレ量を求め、被写体９０までの距離を算出する（三角測量の原理）。
【００１７】
定量的には、被写体距離は、Ｒセンサ９４とＬセンサ９６との間隔及び各センサからレンズ９２までの距離、Ｒセンサ９４及びＬセンサ９６の各セルのピッチ（例えば１２μｍ）等を考慮して、センサ像のズレ量から算出することができる。センサ像のズレ量は、Ｒセンサ９４とＬセンサ９６のそれぞれのセンサ像の間で相関値演算を行うことにより求めることができる。
【００１８】
ここで、図４に示すようにＲセンサ９４及びＬセンサ９６のセンサ領域は、それぞれ５分割したエリア単位で相関値演算等の処理が行われ、各エリア毎に被写体距離が算出されるようになっている。これらの分割されたエリアを以下分割エリアというものとすると、分割エリアは、同図に示すように「右エリア」、「右中エリア」、「中央エリア」、「左中エリア」、「左エリア」から構成される。また、各分割エリアは、隣接する分割エリアと一部領域（セル）を共有している。相関値演算等の際には、Ｒセンサ９４とＬセンサ９６の対応する各分割エリア間（同一名の分割エリア間）でそれぞれ個別に相関値演算が行われることになる。尚、本実施の形態では分割エリアはセンサ領域を５分割したものであるが５分割以外の分割数であってもよい。
【００１９】
測距エリアは、Ｒセンサ９４とＬセンサ９６のそれぞれのセンサ領域のうち測距に使用する領域であり、「右エリア」、「右中エリア」、「中央エリア」、「左中エリア」、「左エリア」の５つの分割エリアで構成される領域が測距に使用される。よって、ＡＦ測距処理中にエラーが発生しない限り、上記それぞれのエリアから５つの測距値（被写体距離）が算出される。測距値が算出されると、ＣＰＵ６０は以下のような処理をして測距値を基にしてオートフォーカスデータを算出する。
【００２０】
以下、図５及び図６を参照して、測距値が算出された後に、ＣＰＵ６０が測距値を基にしてオートフォーカスデータを算出する処理について説明する。図５は上記処理の手順を示すフロー図である。図６は５つの測距値の位置関係を表した模式図であり、図６において上にある測距値ほどカメラから遠い距離に対応する測距値（数値の小さい測距値）であり、下にある測距値ほどカメラから近い距離に対応する測距値（数値の大きい測距値）を表している。なお、測距値は対応する距離が近い（対象物がカメラから近い状態）ほど大きく、遠い（対象物がカメラから遠い状態）ほど小さい数値となっている。以下、測距値の大小を言う場合はこの例に従うものとする。また、図６の例では測距値１０ａ、１０ｂ、１０ｃ、１０ｄ、１０ｅの順に測距値が大きい（対応する距離が近い）ものとして説明する。
【００２１】
まず、５つ得られた測距値１０ａ、１０ｂ、１０ｃ、１０ｄ、１０ｅのうち最も至近距離に対応する（最も大きい）測距値である最至近測距値を検出する（Ｓ１０）。この例では測距値１０ａが最至近測距値１０ａとして検出されることとなる。
【００２２】
次に、最至近測距値１０ａ以外の測距値についてそれぞれ最至近測距値１０ａとの差１２ｂ、１２ｃ、１２ｄ、１２ｅを算出する。そして、それらの差が所定のしきい値１２ｆよりも小さい測距値を選択し、それ以外の測距値は以下の処理には用いないこととする（Ｓ１２）。ここでしきい値１２ｆは諸条件によって切替可能となっており、フィルム感度、撮影レンズのＦナンバ及び焦点距離等によって決定される錯乱円に基づいて変更することが可能である。本実施形態では例えば、しきい値１２ｆは最至近測距値に対応する距離に焦点を合わせたとした場合の錯乱円δがδ＝０．０９ｍｍとなる位置に設定してある。この例では測距値１０ｂ、１０ｃ、１０ｄが選択され、測距値１０ｅは以降の処理には用いないこととなる。ここで、最至近測距値１０ａとの差が所定のしきい値１２ｆよりも小さい測距値が存在しない場合にはオートフォーカスデータ＝最至近距離値１０ａとしてオートフォーカスデータ算出処理を終了する（Ｓ１３）。
【００２３】
次に、選択した測距値１０ｂ、１０ｃ、１０ｄと最至近測距値１０ａとの差１２ｂ、１２ｃ、１２ｄを取り、それらの平均値である第一補正値１２ｈを算出する。すなわちこの例の場合は１２ｈ＝（１２ｂ＋１２ｃ＋１２ｄ）／３で計算される（Ｓ１４）。
【００２４】
次に、Ｓ１２で選択された、最至近測距値１０ａとの差が所定のしきい値１２ｆよりも小さい測距値１０ｂ、１０ｃ、１０ｄのうち、最も遠距離に対応する（最も小さい）測距値である最遠測距値１０ｄを検出し、最遠測距値１０ｄと最至近測距値１０ａとの差１２ｄの１／２である第二補正値１２ｊを算出する（Ｓ１６）。
【００２５】
次に、第一補正値１２ｈと第二補正値１２ｊを比較し、より小さい方を採用補正値（図示しない）として採用する（Ｓ１８、Ｓ２０、Ｓ２２）。なお、両者の値が同一である場合にはいずれの値を採用することとしてもよい。さらに、最至近測距値１０ａから採用補正値（正の値）を減算補正することによりオートフォーカスデータとして算出する（Ｓ２４）。
【００２６】
ここでさらに、算出した結果のオートフォーカスデータが所定の値よりも小さくなってしまった場合にはオートフォーカスデータは該所定の値とし、採用補正値の算出結果が所定の値を超えてしまった場合は採用補正値を該所定の値とすることによって異常なオートフォーカスデータが算出されることを防止してもよい。
【００２７】
オートフォーカスデータが算出されれば、ＣＰＵ６０は温度等の要因を考慮しながらオートフォーカスデータを基に対象物との距離を求め、モータ駆動によりズームレンズ鏡胴１３を求めた距離に対応する位置へ動かしてフォーカス位置を変更する。
【００２８】
以下、上記測距装置の作用を具体的な写真撮影を行う場合の例を参照ながら説明する。まず、第一の例は背景が多く、背景と主被写体とがあまり離れていない場合の例である（図７参照）。主被写体である人物ｃが最至近距離であり、背景はすべてしきい値距離の範囲内に入っている。ここでａ、ｂ、ｃ、ｄ、ｅそれぞれの点の測距値を１００ａ＝４、１００ｂ＝６、１００ｃ＝４０、１００ｄ＝６、１００ｅ＝６とし、しきい値距離の測距値１０２ｆを１０２ｆ＝５１とすると、最至近距離の測距値は１００ｃであるので、残りの測距値と１００ｃとの差はそれぞれ、
１０２ａ＝１００ｃ−１００ａ＝３６
１０２ｂ＝１００ｃ−１００ｂ＝３４
１０２ｄ＝１００ｃ−１００ｄ＝３４
１０２ｅ＝１００ｃ−１００ｅ＝３４
となる。これらの平均値１０２ｈを計算すると、
１０２ｈ＝（１０２ａ＋１０２ｂ＋１０２ｃ＋１０２ｅ）／４＝３４．５である。
一方、最遠距離の測距値は１００ａであるので最至近距離との差の１／２である１０２ｊを計算すると、
１０２ｊ＝１０２ａ／２＝１８となる。
よって、１０２ｈ＞１０２ｊとなるため補正値として１０２ｊ＝１８が採用され、最終的な測距値は１００ｃ−１０２ｊ＝４０−１８＝２２となり、かかるオートフォーカスデータが設定されることにより背景と人物の中間の位置にピントが合うこととなる。従って、背景等の影響で測距値が過剰に補正されることを防ぎ、人物と背景の双方で良好なピントが得られる。
【００２９】
第二の例は最至近距離に近い範囲に多数の測距値が存在する場合の例である（図８参照）。近距離人物の顔を撮影する場合などがこれにあたる。この場合鼻ｃが最至近距離であり、耳ａ、頬ｂ、頬ｄ、耳ｅもすべてしきい値距離の範囲内に入っている。ここでａ、ｂ、ｃ、ｄ、ｅそれぞれの点の測距値を１１０ａ＝５００、１１０ｂ＝５３６、１１０ｃ＝５４０、１１０ｄ＝５３６、１１０ｅ＝５２０とし、しきい値距離の測距値１１２ｆを１１２ｆ＝５１とすると、最至近距離の測距値は１１０ｃであるので、残りの測距値と１１０ｃとの差はそれぞれ、
１１２ａ＝１１０ｃ−１１０ａ＝４０
１１２ｂ＝１１０ｃ−１１０ｂ＝４
１１２ｄ＝１１０ｃ−１１０ｄ＝４
１１２ｅ＝１１０ｃ−１１０ｅ＝２０
となる。これらの平均値１１２ｈを計算すると、
１１２ｈ＝（１１２ａ＋１１２ｂ＋１１２ｃ＋１１２ｅ）／４＝１７である。
一方、最遠距離の測距値は１１０ａであるので最至近距離との差の１／２である１１２ｊを計算すると、
１１２ｊ＝１１２ａ／２＝２０となる。
よって、１１２ｈ＜１１２ｊとなるため補正値として１１２ｈ＝１７が採用され、最終的な測距値は１１０ｃ−１１２ｈ＝５４０−１７＝５２３となり、かかるオートフォーカスデータが設定されることにより補正する必要がある場合に最至近距離に設定されてしまうことがなく、近距離での人物の顔等で良好なピントが得られることとなる。
【００３０】
この例をさらに図９（ａ）、（ｂ）を用いて説明する。図９（ａ）、（ｂ）は人物の顔２を近距離からカメラ１で撮影する場合の模式図であり、人物の顔２とカメラ１を上から見た図である。従来のカメラの場合を図９（ａ）、本実施形態のカメラの場合を図９（ｂ）に表す。近距離で人物の顔を撮影した場合、従来のカメラの場合は最至測距値に対応する人物の鼻２ａの位置にピントが合ってしまう（δ＝０．００ｍｍ）。すなわち、鼻にはピントが合うが顔の後部である人物の耳２ｃの位置での錯乱円δはδ＝０．１２ｍｍと大きくなってしまうため人物の耳２ｃはピントがぼけてしまう。しかし、本実施形態のカメラでは上述のとおり第一補正値または第二補正値によって最至近測距値を補正するため、人物の頬２ｂの位置にピントが合う（δ＝０．００ｍｍ）こととなる。このとき鼻の位置はδ＝０．０３ｍｍ、耳の位置はδ＝０．０９ｍｍとなり、双方とも錯乱円が比較的小さくなるため、鼻から耳までの広い範囲で良好ピントが得られることとなる。
【００３１】
次に、第三の例は背景が主被写体と離れている場合の例である（図１０参照）。主被写体である人物ｃが最至近距離であり、背景はすべてしきい値距離の範囲から外れている。ここでａ、ｂ、ｃ、ｄ、ｅそれぞれの点の測距値を１２０ａ＝５、１２０ｂ＝５、１２０ｃ＝８０、１２０ｄ＝５、１２０ｅ＝５とし、しきい値距離の測距値１２２ｆを１２２ｆ＝５１とすると、最至近距離の測距値は１２０ｃであるので、残りの測距値と１２０ｃとの差はそれぞれ、
１２２ａ＝１２０ｃ−１２０ａ＝７５
１２２ｂ＝１２０ｃ−１２０ｂ＝７５
１２２ｄ＝１２０ｃ−１２０ｄ＝７５
１２２ｅ＝１２０ｃ−１２０ｅ＝７５
となり、背景はすべてしきい値距離の範囲から外れてしまうためこれらの値は採用されず、結局最至近距離の測距値１２０ｃがそのまま最終的な測距値として算出されることとなる。かかるオートフォーカスデータが設定されることにより最至近距離値が選択され、過剰に補正されることなく人物にピントが合うこととなる。
【００３２】
以上詳述したように、上記測距装置によれば、単に最至近測距値を採用したり、単に測距値の平均値を採用したり、また最至近距離の結果により最至近測距値と測距値の平均値とを切替えたりすることなく、以下のように処理を行うこととなる。すなわち、最至近距離から所定範囲遠側の測距値を選択し、最至近距離からの差が所定範囲内の複数の測距結果の変位が（１）最至近側に偏っているか、（２）最至近距離から所定範囲差のある側に偏っているか、に基づいて（１）選択された測距値の差の平均値、あるいは（２）選択された測距値中の最遠測距値と最至近測距値との差の１／２、を採用補正値とし、最至近測距値を採用補正値により遠側に補正してオートフォーカスデータを算出する。従って、オートフォーカスデータが最至近測距値を基本として過剰に補正されたり、補正する必要がある場合に最至近距離に設定されてしまったりすることがなく、適切にオートフォーカスデータを算出することが出来る。
【００３３】
また、上記測距装置を用いたカメラによれば、所定のしきい値よりも至近距離側の測距値のみをオートフォーカスデータの算出に用い、所定以上に外れているイレギュラーな測距値は捨てることとなるため、オートフォーカスデータが最至近距離から過剰に補正されることがなく、適切にオートフォーカスデータを定めることが出来る。上記所定値を諸条件によって切替えることにより、被写体範囲の最至近距離から最遠距離までを常に適切な範囲内に含むようなピントの設定が可能となる。
【００３４】
さらに、上記測距装置を用いたカメラによれば、しきい値を錯乱円に基づいて定めることとしているので、錯乱円がしきい値よりも良好な測距値のみをオートフォーカスデータ算出に用いることとなる、したがって、オートフォーカスデータが最大に補正されたとしても、すべての測距値は錯乱円の許容範囲内から外れることがなくなる。よって、最至近測距値から最遠測距値のすべての測距値に対応する距離について良好なピントが得られることとなる。
【００３５】
なお、本発明は上記した本実施形態に限定されることなく種々の変形が可能である。例えば、上記した実施形態では、センサデータに所要の処理を施してオートフォーカスデータを生成する場合、そのオートフォーカスデータの生成はＣＰＵ６０において行うようにしたが、必ずしもＣＰＵ６０において行う必要はなく、ＡＦセンサ７４においてセンサデータに所要の処理を施してオートフォーカスデータを生成し、ＣＰＵ６０にその生成したオートフォーカスデータを与えるようにしてもよい。
【００３６】
また、上記した実施形態では本発明をパッシブＡＦ方式のカメラに適用しているが、複数の測距値に基づいてオートフォーカスデータを算出するものであれば、アクティブＡＦ方式、ＴＴＬ、ハイブリッドＡＦ、コントラストＡＦのカメラに適用することもできる。また、銀塩カメラ、電子スチルカメラ、ビデオカメラ等に適用することも可能である。
【００３７】
【発明の効果】
本発明によれば、複数の測距データに基づいて良好なピントが得られるようにオートフォーカスデータを算出することが可能な測距装置を提供することが可能となる。
【図面の簡単な説明】
【図１】本発明が適用されたカメラの正面斜視図である。
【図２】本発明が適用されたカメラの背面斜視図である。
【図３】パッシブ方式によるＡＦセンサの構成を示した図である。
【図４】Ｒセンサ及びＬセンサのセンサ領域における分割エリアを示した図である。
【図５】オートフォーカスデータを算出する処理のフロー図である。
【図６】得られた測距値の位置関係を表す模式図である。
【図７】得られた測距値の位置関係を表す模式図である。
【図８】得られた測距値の位置関係を表す模式図である。
【図９】（ａ）は人物の顔２を近距離から従来のカメラで撮影する場合の模式図である。（ｂ）は人物の顔２を近距離からカメラ１で撮影する場合の模式図である。
【図１０】得られた測距値の位置関係を表す模式図である。
【図１１】従来技術の測距値の位置関係を表す模式図である。
【図１２】従来技術の測距値の位置関係を表す模式図である。
【符号の説明】
１…カメラ、２…人物の顔、２ａ…人物の鼻、２ｂ…人物の頬、２ｃ…人物の耳、１０ａ…最至近測距値、１０ｄ…最遠測距値、１２ｈ…第一補正値、１２ｊ…第二補正値、１６…ストロボ発光窓、１８…ファインダ窓、２２…窓、２５…測光窓、３４…シャッタボタン、３８…表示パネル、４２…フラッシュボタン、４４…セルフタイマーボタン、４６…フォーカスボタン、４８…日付ボタン、５０…ズームボタン、７４…センサ、９０…被写体、９２…レンズ、９４Ｒ…センサ、９６Ｌ…センサ、９９…処理回路。
【図１】
0003581141.tif 000002
【図２】
0003581141.tif 000003
【図３】
0003581141.tif 000004
【図４】
0003581141.tif 000005
【図５】
0003581141.tif 000006
【図６】
0003581141.tif 000007
【図７】
0003581141.tif 000008
【図８】
0003581141.tif 000009
【図９】
0003581141.tif 000010
【図１０】
0003581141.tif 000011
【図１１】
0003581141.tif 000012
【図１２】
0003581141.tif 000013